(57)【要約】【課題】ケーブル支持金物を支持する位置の調整を可能にして、ケーブル支持金物を任意の位置に支持することができ、またケーブル類追加及び既設ケーブル類の位置変更が容易にできるケーブル支持金物取付用ハンガーを提供する。【解決手段】ケーブル支持金物８を取付面に固定するケーブル支持金物取付用ハンガーにおいて、取付面に固定される板状のハンガー本体１の長手方向に沿って、ケーブル支持金物８を固定する金物固定ボルト４の軸４ａがスライド可能なスライド溝３が形成され、スライド溝３の一端あるいは両端に金物固定ボルト４のヘッドとワッシャ５を挿入可能なボルト・ワッシャ挿入口６が形成されている。【選択図】図１
2005151649.tif 000002
【特許請求の範囲】
【請求項１】
ケーブル支持金物を取付面に固定するケーブル支持金物取付用ハンガーにおいて、
取付面に固定される板状のハンガー本体の長手方向に沿って、ケーブル支持金物を固定する金物固定ボルトの軸がスライド可能なスライド溝が形成され、
スライド溝の一端あるいは両端に金物固定ボルトのヘッドとワッシャを挿入可能なボルト・ワッシャ挿入口が形成されていることを特徴とするケーブル支持金物取付用ハンガー。
【発明の詳細な説明】
【技術分野】
【０００１】
本発明は、ケーブル類を支持するケーブル支持金物を壁などの取付面へ固定するためのケーブル支持金物取付用ハンガーに関する。
【背景技術】
【０００２】
従来、ケーブル類を支持するケーブル支持金物を壁などの取付面へ固定するためには、例えば、特許文献１で提案されているように、ケーブル把持体を固定する可動体を、取付面に埋め込まれたインサートにボルトをねじ込んで固定した固定部材に取り付ける方法が採られている。
【特許文献１】特開平０７−２６４７２５号公報
【発明の開示】
【発明が解決しようとする課題】
【０００３】
従来のケーブル支持金物の取付方法では、ケーブル類を支持する位置が固定されているためケーブル類を支持する位置の調整が不可能である。そのため、位置変更が生じた際、再度のインサート埋め込みや金物への穴開けが必要となって、ケーブル類追加及び既設ケーブル類の位置変更が容易にできなかった。
【０００４】
また、ケーブル支持金物ごとのインサート埋め込みや金物への穴開けが必要であるため、作業効率が悪く、コストアップの要因となる場合があった。
【０００５】
そこで、本発明は、ケーブル支持金物を支持する位置の調整を可能にして、ケーブル支持金物を任意の位置に支持することができ、またケーブル類追加及び既設ケーブル類の位置変更が容易にできるケーブル支持金物取付用ハンガーを提供するものである。
【課題を解決するための手段】
【０００６】
本発明は、ケーブル支持金物を取付面に固定するケーブル支持金物取付用ハンガーにおいて、取付面に固定される板状のハンガー本体の長手方向に沿って、ケーブル支持金物を固定する金物固定ボルトの軸がスライド可能なスライド溝が形成され、スライド溝の一端あるいは両端に金物固定ボルトのヘッドとワッシャを挿入可能なボルト・ワッシャ挿入口が形成されていることを特徴とする。
【発明の効果】
【０００７】
本発明のケーブル支持金物取付用ハンガーは、スライド溝で金物固定用ボルトをスライドさせることにより、ケーブル支持金物を任意の位置に取り付けることができ、また取り付る位置の微調整が可能なためにケーブル類への負担が少ない。また、容易にケーブル支持金物の追加や位置変更ができるため、作業性に優れている。
【０００８】
また、ハンガーの溝とボルトの間にワッシャを挿入することにより、ひとつのハンガーに異なるサイズのケーブル支持金物の取付けが可能であるため、ケーブル支持金物ごとのインサート埋め込みや金物への穴開けが不要となり、作業効率の向上が図れる。
【発明を実施するための最良の形態】
【０００９】
図１（ａ）は本発明のケーブル支持金物取付用ハンガーの正面図、（ｂ）は側面図である。
【００１０】
ハンガー本体１は、板状であり、鉄、ステンレス、強化プラスック等から使用場所や環境条件により選定する。ハンガーは、ケーブル類が布設されるマンホールや桝類、ハンドホールの壁面、建物の壁などケーブルの支持が必要な箇所に取り付けられる。
【００１１】
ハンガー本体の両端には、壁面のハンガー取付面あるいは壁面に固定されたチャンネルなどのハンガー取付面にハンガー本体１を固定するための金物固定用ボルトを通すボルト孔２が形成されている。
【００１２】
ハンガー本体１の中央に長手方向に沿ってスライド溝３が形成される。スライド溝に沿ってケーブル支持金物８（図２、図３）を固定する金物固定用ボルト４の軸４ａを任意の位置へスライドさせ、ケーブル支持金物をボルト４の軸４ａにナット９（図２、図３）を螺合させてハンガー本体１に固定する。スライド溝３は、支持されるケーブルの種類によりサイズを決める。
【００１３】
スライド溝１の一端あるいは両端に金物固定用ボルト４とワッシャ５を挿入できるボルト・ワッシャ挿入口６を形成し、金物固定用ボルト４のヘッドとワッシャ５をハンガー本体１の裏側に位置させる。金物固定用ボルト４とワッシャ５を挿入可能とすることにより、ケーブル支持金物の追加に対応できる。ワッシャ５の外径をスライド溝３の幅より大きくして抜けないようにする。
【００１４】
次に本発明のケーブル支持金物取付用ハンガーの使用例について説明する。
【００１５】
使用例１
図２は本発明のケーブル支持金物取付用ハンガーの使用例を示す正面図、図３は桝に本発明のケーブル支持金物取付用ハンガーによりケーブルを支持した一例を示す概略図である。
【００１６】
図２及び図３において、ハンガー取付面となる桝１３の壁面にはハンガー本体１と金物固定用ボルト４の頭を収納してスライドできる空間が形成されたハンガー・ボルト収納溝７が設けられており、このハンガー・ボルト収納溝７にハンガー本体１あるいは金物固定用ボルト４及びワッシャ５を装着したハンガー本体１を位置決めしてボルト孔２にボルトを通してねじ込んでハンガー取付面に固定する。ハンガー本体１のみをハンガー取付面に固定した場合、あるいは金物固定用ボルト４とワッシャ５を追加する場合は、固定後にボルト・ワッシャ挿入口６からボルト４とワッシャ５を挿入して装着することができる。
【００１７】
次いで金物固定用ボルト４の軸４ａをスライド溝３に沿ってスライドさせて位置決めした後、ケーブル支持金物８を金物固定用ボルト４の軸４ａに通し、ナット９を締め付けて固定する。位置の調整は金物固定用ボルト５を緩く仮止めした状態で行った後に締め付けて固定してもよい。ケーブル支持金物８を固定した後に桝１内で立ち上げたケーブル１０を把持して支持する。
【００１８】
本発明のケーブル支持金物取付用ハンガーにより、ケーブル支持金物の位置が調整できるので、無理なくケーブルを支持することができ、また、ケーブル支持金物を追加する場合にはボルト・ワッシャ挿入口からボルト・ワッシャを挿入し、必要に応じて既設のケーブル支持金物の位置を調整して複数のケーブルを支持することができる。
【００１９】
使用例２
図４は本発明のケーブル支持金物取付用ハンガーの別使用例を示す正面図である。本使用例は、平らな壁面に固定されたハンガー固定用チャンネルにハンガーを固定する例である。
【００２０】
図４において、使用例１に示すハンガー・ボルト収納溝７が形成されていない場合には、平らな壁面にハンガー固定用チャンネル１１を固定する。ハンガー固定用チャンネル１１は金物固定用ボルト４とワッシャ５がスライドする空間１２が設けられるとともに、ハンガー取付面には金物固定用ボルトをスライドするスライド溝と、その一端あるいは両端に金物固定用ボルト４とワッシャ５を挿入できるボルト・ワッシャ挿入口を形成して、ケーブル支持金物の追加や既設ケーブル類の位置変更に対応できるようにする。ハンガー固定用チャンネル１１とハンガー本体１のボルト・ワッシャ挿入口６の位置は、ハンガー本体１がハンガー固定用チャンネル１１に固定された際にハンガー本体１のボルト・ワッシャ挿入口６と一致して連通するように形成する。
【００２１】
使用方法は、壁面に固定されたハンガー固定用チャンネル１１のボルト・ワッシャ挿入口から金物固定用ボルト４およびワッシャ５を挿入して装着し、さらにハンガー本体１のスライド溝６に金物固定用ボルト４の軸４ａを通した後、ハンガー本体１を位置決めしてボルト孔２にボルトを通してねじ込んでハンガー固定用チャンネル１１のハンガー取付面に固定する。
【００２２】
その後、金物固定用ボルト４の軸４ａをスライド溝３に沿ってスライドさせて位置決めした後、ケーブル支持金物８を金物固定用ボルト４の軸４ａに通し、ナット９で締め付けて固定する。位置の調整は金物固定用ボルト４を緩く仮止めした状態で行った後に締め付けて固定してもよい。
【００２３】
本発明のハンガーにより、ケーブル支持金物の位置が調整できるので、無理なくケーブルを支持することができ、また、ケーブル支持金物を追加する場合には、ハンガー本体およびハンガー固定用チャンネルのボルト・ワッシャ挿入口からボルト・ワッシャを挿入し、必要に応じて既設のケーブル支持金具の位置を調整して複数のケーブルを支持することができる。
【図面の簡単な説明】
【００２４】
【図１】（ａ）は本発明のケーブル支持金物取付用ハンガーの正面図、（ｂ）は側面図である。
【図２】本発明のケーブル支持金物取付用ハンガーの一使用例を示す正面図である。
【図３】桝に本発明のケーブル支持金物取付用ハンガーによりケーブルを支持した一例を示す概略図である。
【図４】本発明のケーブル支持金物取付用ハンガーの別使用例を示す正面図である。
【符号の説明】
【００２５】
１：ハンガー本体
２：ボルト孔
３：スライド溝
４：金物固定用ボルト
５：ワッシャ
６：ボルト・ワッシャ挿入口
７：ハンガー・ボルト収納溝
８：ケーブル支持金物
９：ナット
１０：ケーブル
１１：ハンガー固定用チャンネル
１２：空間
１３：桝
【図１】
2005151649.tif 000003
【図２】
2005151649.tif 000004
【図３】
2005151649.tif 000005
【図４】
2005151649.tif 000006